(57)【要約】 【課題】  本発明は、タックラベルを剥離シートから剥がし取るきっかけを容易に作ることのできる粘着ラベルシートを提供する。【解決手段】  情報表示シート１１にはタックラベル切り離し用切れ目１５の外側領域にタックラベル切り離し用切れ目１５から情報表示シート１１の端縁に至る補助切れ目１７を形成することで、情報表示シート１１の外側領域の一部を剥離シート１２から剥がし取ってタックラベル１６列の側方に情報表示シート１１が存在しないタックラベル剥がし用領域１８が形成されている。このタックラベル剥がし用領域１８と、タックラベル１６との間には、情報表示シート１１が存在しない分だけ段差が形成されている。この段差のために、浮き上がったタックラベル１６の角部を指で引っかけて、更に浮き上がらせることができるので、タックラベル１６を剥がし取るきっかけを容易に作ることができる。【選択図】  図１
2005283633.tif 000002
【特許請求の範囲】
【請求項１】
粘着層を備えた情報表示シートと、この粘着層に重ねた剥離シートとからなり、前記情報表示シートにはループ状の切れ目を複数形成することでそのシートの側縁に沿って複数枚のタックラベルが列をなして並ぶようにされた粘着ラベルシートにおいて、前記情報表示シートには前記ループ状切れ目の外側領域に前記ループ状切れ目から情報表示シートの端縁に至る補助切れ目を形成することで、前記情報表示シートの前記外側領域の一部を前記剥離シートから剥がし取って前記タックラベル列の側方に前記情報表示シートが存在しないタックラベル剥がし用領域が形成されるようにしたことを特徴とする粘着ラベルシート。
【請求項２】
前記情報表示シート及び剥離シートは矩形状をなし、前記補助切れ目は前記情報表示シートの長手方向に沿って設けられていることを特徴とする請求項１記載の粘着ラベルシート。
【請求項３】
前記タックラベルは前記情報表示シートの長手方向に沿って二列に並び、前記タックラベル剥がし用領域は前記情報表示シートの長手方向に沿った両側に形成されることを特徴とする請求項２記載の粘着ラベルシート。
【請求項４】
前記タックラベルは前記情報表示シートの側縁に沿って三列以上に並んで形成されており、前記情報表示シートには、前記ループ状切れ目の外側領域に前記タックラベル列の始端側及び終端側の前記ループ状切れ目から前記情報表示シートの端縁に至る補助切れ目が形成されていることを特徴とする請求項２記載の粘着ラベルシート。
【発明の詳細な説明】
【技術分野】
【０００１】
本発明は、粘着ラベルシートに関する。
【背景技術】
【０００２】
従来、粘着ラベルシートの一例として、特許文献１に挙げたものが知られている。このものは、粘着層を備えた情報表示シートと、この粘着層に重ねた剥離シートとからなり、情報表示シートにはループ状の切れ目を複数形成することでそのシートの側縁に沿って複数枚のタックラベルが一列に並ぶように形成されている。
【０００３】
この粘着ラベルシートは、所定の情報が印刷された各タックラベルを１枚ずつ剥がし取って、所定の物に貼り付けて使用される。例えば、宛名情報が印刷されたタックラベルは封筒などに貼付されて宛名ラベルとして用いることができる。また、商品情報が印刷されたタックラベルは商品などに貼付して商品ラベルとして用いることができる。
【特許文献１】特開平１１−１７１１５４号公報
【発明の開示】
【発明が解決しようとする課題】
【０００４】
上記の粘着ラベルシートにおいては、粘着ラベルシートのうちタックラベルの角部付近の領域を剥離シートを内側にして情報表示シート湾曲させてタックラベルの角部だけを剥離シートから浮かせ、これを指で摘んで引っ張ることによりタックラベルを剥がし取っていた。
【０００５】
しかし、上記の構成によると、タックラベルと情報表示シートとは切れ目によって区切られているのみであって、両者の間には段差がないため、タックラベルを指で摘むためには剥離シートから大きく浮かせる必要があった。このため、粘着剤の粘着性が過度に強かったり、タックラベルの弾発力が弱かったりする場合には、タックラベルの角部を剥離シートから浮かせにくい場合があり、タックラベルを剥がし取るきっかけを作ることが困難な場合があった。
【０００６】
本発明は上記のような事情に基づいて完成されたものであって、タックラベルを剥離シートから剥がし取るきっかけを容易に作ることのできる粘着ラベルシートを提供することを目的とする。
【課題を解決するための手段】
【０００７】
上記の目的を達成するための手段として、請求項１の発明は、粘着層を備えた情報表示シートと、この粘着層に重ねた剥離シートとからなり、前記情報表示シートにはループ状の切れ目を複数形成することでそのシートの側縁に沿って複数枚のタックラベルが列をなして並ぶようにされた粘着ラベルシートにおいて、前記情報表示シートには前記ループ状切れ目の外側領域に前記ループ状切れ目から情報表示シートの端縁に至る補助切れ目を形成することで、前記情報表示シートの前記外側領域の一部を前記剥離シートから剥がし取って前記タックラベル列の側方に前記情報表示シートが存在しないタックラベル剥がし用領域が形成されるようにしたことを特徴とする。
【０００８】
請求項２の発明は、請求項１に記載のものにおいて、前記情報表示シート及び剥離シートは矩形状をなし、前記補助切れ目は前記情報表示シートの長手方向に沿って設けられていることを特徴とする。
【０００９】
請求項３の発明は、請求項２に記載のものにおいて、前記タックラベルは前記情報表示シートの長手方向に沿って二列に並び、前記タックラベル剥がし用領域は前記情報表示シートの長手方向に沿った両側に形成されることを特徴とする。
【００１０】
請求項４の発明は、請求項２記載のものにおいて、前記タックラベルは前記情報表示シートの側縁に沿って三列以上に並んで形成されており、前記情報表示シートには、前記ループ状切れ目の外側領域に前記タックラベル列の始端側及び終端側の前記ループ状切れ目から前記情報表示シートの端縁に至る補助切れ目が形成されていることを特徴とする。
【発明の効果】
【００１１】
＜請求項１及び請求項２の発明＞
補助切れ目が情報表示シートの端縁と交わる部分を、剥離シート側を内側にして湾曲させて、情報表示シートの一部を剥離シートから浮かせる。すると、情報表示シートの端縁においては、情報表示シートの一部に指を引っ掛けて更に浮かせることができるので、情報表示シートの一部を剥離シートから剥がし取るきっかけを容易に作ることができる。このようにして浮かせた情報表示シートの一部を指で摘んで、補助切れ目及びループ状の切れ目に沿って剥離シートから剥がし取ると、情報表示シートが存在しないタックラベル剥がし用領域がタックラベル列の側方に形成される。
【００１２】
このタックラベル剥がし用領域と、タックラベルとの間には、情報表示シートが存在しない分だけタックラベルが一段高くなった段差が形成されている。この段差が生じた領域のうちタックラベルの角部付近の領域を、剥離シートを内側にして情報表示シートを湾曲させてタックラベルの角部を剥離シートから浮かせる。すると、タックラベルが少ししか浮き上がらない場合でも、タックラベルは剥離シートよりも一段高くなっているので、タックラベルの角部に指を引っかけて更に浮かせることができる。これにより、タックラベルを剥離シートから剥がし取るきっかけを容易に作ることができる。
【００１３】
＜請求項３＞
請求項３の発明によれば、情報表示シートの長手方向に沿って二列に並んで形成された各タックラベル列の側方に、タックラベル剥がし用領域が形成される。これにより、全てのタックラベルに対して、剥離シートから剥がし取るきっかけを容易に作ることができる。
【００１４】
＜請求項４＞
請求項４の発明によれば、タックラベル列の始端側及び終端側に形成された補助切れ目並びにループ状の切れ目に沿って情報表示シートを剥がし取ると、各タックラベル列の側方にタックラベル剥がし用領域を形成できる。これにより、全てのタックラベルに対して、剥離シートから剥がし取るきっかけを容易に作ることができる。
【発明を実施するための最良の形態】
【００１５】
＜実施形態１＞
本発明の実施形態１を図１ないし図５によって説明する。
図１に示すように、例えばＡ４サイズをなす矩形状の情報表示シート１１には粘着剤が全面にわたって塗布されて粘着層１０が形成されている。一方、Ａ４サイズの剥離シート１２には剥離剤が全面にわたって塗布されて剥離剤層１３が形成されている。上記の粘着層１０と、剥離剤層１３とを対向させた状態で、粘着層１０の全域を覆うように剥離シート１２が重ね合わされ、両者が一体となって一枚の粘着ラベルシート１４が構成されている（図２参照）。
【００１６】
情報表示シート１１には「印刷面」と印刷されており、情報表示シート１１側に所定の情報を印刷するように表示されている。また、情報表示シート１１には、粘着ラベルシート１４の長手方向を指し示す矢印が、「挿入方向」の文字と共に印刷されており、図示しないプリンタへの挿入方向が示されている。
【００１７】
情報表示シート１１及び粘着層１０には、略矩形状をなす複数のタックラベル切り離し用切れ目１５（請求項１のループ状の切れ目に相当する）が、情報表示シート１１の長辺（側縁）に沿って２列に並んで設けられている。このラベル切り離し用切れ目１５に囲まれて、複数のタックラベル１６が、情報表示シート１１から切り離し可能に構成されている。上下に並ぶ各タックラベル１６は、共通のラベル切り離し用切れ目１５により区分されている。
【００１８】
また、情報表示シート１１及び粘着層１０には、タックラベル切り離し用切れ目１５によって囲まれる領域以外の領域に、情報表示シート１１の短辺側の端縁からタックラベル切り離し用切れ目１５につながるように、補助切れ目１７が形成されている。この補助切れ目１７は、２列に並んで設けられたタックラベル１６の各列の、最上段のタックラベル切り離し用切れ目１５と、最下段のタックラベル切り離し用切れ目１５とに形成されている。補助切れ目１７は、図１に示すように、情報表示シート１１の右側に形成されたタックラベル１６の列については略矩形のラベル切り離し用切れ目１５によって囲まれた領域のうち、例えば中央よりもやや右寄りの位置に設けられている。一方、情報表示シート１１の左側に形成されたタックラベル１６の列については、補助切れ目１７は、例えば中央よりもやや左寄りの位置に設けられている。これら補助切れ目１７の方向は、粘着ラベルシート１４を図示しないプリンタへ挿入する方向と一致するように形成されている。
【００１９】
次に、本実施形態の粘着ラベルシート１４を例えば宛名ラベルとして使用する際の使用方法について説明する。
まず、情報表示シート１１と剥離シート１２とが重ね合わされた状態のまま、図示しないプリンタにセットする。このとき、粘着ラベルシート１４は、その長辺に沿う方向からプリンタ（図示せず）に挿入されるようにすると共に、情報表示シート１１側に宛名情報が印刷されるようにセットする。その後、各タックラベル１６に宛名情報を印刷する。
【００２０】
上述したように情報表示シート１１にはタックラベル切り離し用切れ目１５及び補助切れ目１７が形成されているだけなので、情報表示シート１１の表面はフラットになっている。このため、例えばインクジェットプリンタやレーザプリンタなどによっても印刷可能になっている。
【００２１】
また、図示しないプリンタへの挿入方向と、補助切れ目１７の方向とが一致するように形成されているので、印刷時に、図示しない紙送りローラに引っ張られて情報表示シート１１がめくれ上がることが防止されるので、図示しないプリンタ内での紙詰まりが防止される。
【００２２】
次いで、各タックラベル１６は、以下のようにして剥離シート１２から剥がし取られる。例えば、左側のタックラベル１６の列に形成された補助切れ目１７が情報表示シート１１の端縁と交わる付近において、補助切れ目１７の両側を指で摘んで、剥離シート１２を内側にして、粘着ラベルシート１４を湾曲させる。すると、補助切れ目１７によって切断された情報表示シート１１の一部が浮き上がる。情報表示シート１１の端縁においては、情報表示シート１１の一部に指を引っ掛けて更に浮かせることができるので、情報表示シート１１の一部を剥離シート１２から剥がし取るきっかけを容易に作ることができる。
【００２３】
このようにして浮かせた情報表示シート１１の一部を指で摘んで、情報表示シート１１を剥離シート１２から剥がし取る方向に引っ張る。すると、図３に示すように、情報表示シート１１を補助切れ目１７及びタックラベル切り離し用切れ目１５に沿って剥離シート１２から剥がし取ることができる。これにより、情報表示シート１１の左側に形成されたタックラベル１６の列の左側方（情報表示シート１１の左側）に、情報表示シート１１が存在しないタックラベル剥がし用領域１８が形成される。
【００２４】
このタックラベル剥がし用領域１８と、タックラベル１６との間には、図４に示すように、情報表示シート１１が存在しない分だけタックラベル１６が一段高くなって、段差が形成されている。この段差が形成された領域のうちタックラベル１６の角部付近の領域を、指で摘んで、剥離シート１２を内側にして湾曲させて、タックラベル１６の角部を剥離シート１２から浮かせる。粘着層１０の粘着性が過度に強かったり、タックラベル１６の弾発力が弱かったりするために、タックラベル１６の角部が少ししか浮き上がらなかった場合でも、タックラベル１６と剥離シート１２との間には段差が形成されているので、僅かに浮き上がったタックラベル１６の角部を指で引っかけて、更に浮き上がらせることができる（図５参照）。このように、本実施形態では、タックラベル１６を剥がし取るきっかけを容易に作ることができる。
【００２５】
このようにして浮き上がらせたタックラベル１６の角部を指で摘んで、タックラベル１６を剥離シート１２から剥がし取る方向に引っ張ることにより、タックラベル１６を剥離シート１２から剥がし取ることができる。
【００２６】
同様にして、情報表示シート１１の右側に形成されたタックラベル１６列の右側方（情報表示シート１１の右側）に、情報表示シート１１が存在しないタックラベル剥がし用領域１８が形成される。これにより、タックラベル１６を剥がし取るきっかけを容易に作ることができる（図３参照）。
【００２７】
このようにして剥がし取られたタックラベル１６は、図示しない封筒に貼付されて宛名ラベルとして使用される。
【００２８】
実施形態１によれば、タックラベル剥がし用領域１８と、タックラベル１６との間にに形成された段差により、僅かに浮き上がったタックラベル１６の角部を指で引っかけて、更に浮き上がらせることができる。このように、実施形態１では、タックラベル１６を剥がし取るきっかけを容易に作ることができる。
【００２９】
また、情報表示シート１１の長手方向に沿って二列に並んで形成された各タックラベル１６列の側方に、タックラベル剥がし用領域１８が形成されている。これにより、全てのタックラベル１６に対して、剥離シート１２から剥がし取るきっかけを容易に作ることができる。
【００３０】
＜実施形態２＞
次に、本発明の実施形態２を図６ないし図７によって説明する。
図６に示すように、本実施形態においては、上下に並ぶ各タックラベル１６は、所定の間隔を空けて並んだ状態で、略矩形状のタックラベル切り離し用切れ目１５により区分されている。
【００３１】
情報表示シート１１のうちタックラベル切り離し用切れ目１５によって囲まれた領域以外の領域には、その一方の短辺側の端縁から他方の短辺側の端縁にまで延びかつ長辺と平行に補助切れ目１７が形成されており、この補助切れ目１７は、タックラベル切り離し用切れ目１５によって囲まれる各領域を横切るように、各列に一本ずつ形成されている。この補助切れ目１７は、図６に示すように、情報表示シート１１の右側に形成されたタックラベル１６の列については略矩形のタックラベル切り離し用切れ目１５によって囲まれた領域のうち、例えば中央よりもやや右寄りの位置に設けられている。一方、情報表示シート１１の左側に形成されたタックラベル１６の列については、補助切れ目１７は、例えば中央よりもやや左寄りの位置に設けられている。
【００３２】
この他は前記実施形態１と同様であるので、前記実施形態１と同一部分には同一符号を付して重複する説明を省略する。
【００３３】
次に、実施形態２の使用方法を説明する。
例えば、左側のタックラベル１６の列に形成された補助切れ目１７が情報表示シート１１の端縁と交わる付近において、補助切れ目１７の両側を指で摘んで、剥離シート１２を内側にして、粘着ラベルシート１４を湾曲させる。すると、補助切れ目１７によって切断された情報表示シート１１の一部が浮き上がる。情報表示シート１１の端縁においては、情報表示シート１１の一部に指を引っ掛けて更に浮かせることができるので、情報表示シート１１の一部を剥離シート１２から剥がし取るきっかけを容易に作ることができる。
【００３４】
このようにして浮かせた情報表示シート１１の一部を指で摘んで、情報表示シート１１を剥離シート１２から剥がし取る方向に引っ張る。すると、図７に示すように、情報表示シート１１を補助切れ目１７及びタックラベル切り離し用切れ目１５に沿って剥離シート１２から剥がし取ることができる。これにより、情報表示シート１１の左側に形成されたタックラベル１６の列の左側方（情報表示シート１１の左側）に、情報表示シート１１が存在しないタックラベル剥がし用領域１８が形成される。
【００３５】
このタックラベル剥がし用領域１８により、実施形態１と同様にして、情報シート１１の左側の列に形成されたタックラベル１６を剥離シート１２から剥がし取るきっかけを容易に作ることができる。
【００３６】
また、情報表示シート１１の右側に形成されたタックラベル１６の列に対しても、同様にして、タックラベル１６を剥離シート１２から剥がし取るきっかけを容易に作ることができる（図７参照）。
【００３７】
本実施形態では、上下に並ぶ各タックラベル１６が所定の間隔を空けて並んだ形態になっているので、最上段及び最下段のタックラベル１６，１６に挟まれて形成されたタックラベル１６の角部を容易に浮き上がらせることができる。このため、タックラベル１６を剥がし取るきっかけを容易に作ることができる。なお、その他の使用方法については実施形態１と同様であるため重複する説明を省略する。
【００３８】
＜実施形態３＞
図８ないし図１０は本発明の実施形態３を示す。
情報表示シート１１及び粘着層１０には、略矩形状をなす複数のタックラベル切り離し用切れ目１５が、情報表示シートの長辺（側縁）に沿って４列に並んで設けられている。このタックラベル切り離し用切れ目１５に囲まれて、複数のタックラベル１６が、情報表示シート１１から切り離し可能に構成されている。上下に並ぶ各タックラベル１６は、共通のラベル切り離し用切れ目１５により区分されている。
【００３９】
また、情報表示シート１１及び粘着層１０には、タックラベル切り離し用切れ目１５によって囲まれる領域以外の領域に、情報表示シート１１の短辺側の端縁からラベル切り離し用切れ目１５につながるように、補助切れ目１７が形成されている。この補助切れ目１７は、４列に並んで設けられたタックラベル１６の各列の、最上段のラベル切り離し用切れ目１５と、最下段のラベル切り離し用切れ目１５とに形成されている。補助切れ目１７は、図８に示すように、情報表示シート１１に形成された略矩形のタックラベル切り離し用切れ目１５によって囲まれた領域のうち、例えば略中央の位置に設けられている。
【００４０】
次に、実施形態３の使用方法を説明する。
例えば、最も右側のタックラベル１６の列に形成された補助切れ目１７が情報表示シート１１の端縁と交わる付近において、補助切れ目１７の両側を指で摘んで、剥離シート１２を内側にして、粘着ラベルシート１４を湾曲させる。すると、補助切れ目１７によって切断された情報表示シート１１の一部が浮き上がる。情報表示シート１１の端縁においては、情報表示シート１１の一部に指を引っ掛けて更に浮かせることができるので、情報表示シート１１の一部を剥離シート１２から剥がし取るきっかけを容易に作ることができる。
【００４１】
このようにして浮かせた情報表示シート１１の一部を指で摘んで、情報表示シート１１を剥離シート１２から剥がし取る方向に引っ張る。すると、図９に示すように、情報表示シート１１を補助切れ目１７及びタックラベル切り離し用切れ目１５に沿って剥離シート１２から剥がし取ることができる。これにより、情報表示シート１１の最も右側に形成されたタックラベル１６の列の右側方に、情報表示シート１１が存在しないタックラベル剥がし用領域１８が形成される。
【００４２】
このタックラベル剥がし用領域１８により、実施形態１と同様にして、情報表示シート１１の最も右側の列に形成されたタックラベル１６を剥がし取るきっかけを容易に作ることができる。
【００４３】
最も右側に形成されたタックラベル１６の列からタックラベル１６を全て剥がし取った後、右から二列目のタックラベル１６に形成された補助切れ目１７が情報表示シート１１の端縁と交わる付近において、補助切れ目１７の両側を指で摘んで、剥離シート１２を内側にして、粘着ラベルシート１４を湾曲させる。すると、補助切れ目１７によって切断された情報表示シート１１の一部が浮き上がる。情報表示シート１１の端縁においては、情報表示シート１１の一部に指を引っ掛けて更に浮かせることができるので、情報表示シート１１の一部を剥離シート１２から剥がし取るきっかけを容易に作ることができる。
【００４４】
このようにして浮かせた情報表示シート１１の一部を指で摘んで、情報表示シート１１を剥離シート１２から剥がし取る方向に引っ張る。すると、図７に示すように、情報表示シート１１を補助切れ目１７及びタックラベル切り離し用切れ目１５に沿って剥離シート１２から剥がし取ることができる。これにより、情報表示シート１１の右から二列目のタックラベル１６の右側方に、情報表示シート１１が存在しないタックラベル剥がし用領域１８が形成される。
【００４５】
このタックラベル剥がし用領域１８により、実施形態１と同様にして、情報表示シート１１の右から二列目に形成されたタックラベル１６を剥離シート１２から剥がし取るきっかけを容易に作ることができる。
【００４６】
以下、同様にして、各タックラベル１６列の側方に、タックラベル剥がし用領域を形成させることができる。これにより、すべてのタックラベル１６について、剥離シート１２から剥がし取るきっかけを容易に作ることができる。なお、その他の使用方法については実施形態１と同様であるため重複する説明を省略する。
【００４７】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
【００４８】
（１）本実施形態では、補助切れ目１７は、粘着ラベルシート１４の長辺に沿った方向に形成されていたが、これに限られず、粘着ラベルシート１４の短辺に沿った方向に形成されるものとしてもよい。
【００４９】
（２）本実施形態では、タックラベル切り離し用切れ目１５は略矩形状をなすものとしたが、これに限られず、円形、楕円形、方形など、任意の形状をなすものとしてもよい。
【００５０】
（３）実施形態１及び２においてはタックラベル１６は２列に並んで形成されており、また、実施形態３においてはタックラベル１６は４列に並んで形成されていたが、これに限られず、タックラベル１６は、１列に並んで形成されていてもよいし、３列に並んで形成されていてもよいし、また５列以上に並んで形成されていてもよい。
【図面の簡単な説明】
【００５１】
【図１】実施形態１に係る粘着ラベルシートの平面図
【図２】同じく粘着ラベルシートの断面図  （Ａ）図１におけるＡ−Ａ断面図  （Ｂ）図１いおけるＢ−Ｂ断面図
【図３】同じく実施形態１の粘着ラベルシートにおいて、タックラベル剥離用領域が形成された状態を示す平面図
【図４】同じく粘着ラベルシートにおいて、タックラベル剥離用領域が形成された状態を示す断面図  （Ａ）図３におけるＡ−Ａ断面図  （Ｂ）図３におけるＢ−Ｂ断面図
【図５】同じく粘着ラベルシートからタックラベルを剥がし取る状態を示す一部拡大斜視図
【図６】実施形態２に係る粘着ラベルシートの平面図
【図７】同じく実施形態２の粘着ラベルシートにおいて、タックラベル剥離用領域が形成された状態を示す平面図
【図８】実施形態３に係る粘着ラベルシートの平面図
【図９】同じく実施形態３の粘着ラベルシートにおいて、最も右側に形成されたタックラベルの列の右側方に、タックラベル剥離用領域が形成された状態を示す平面図
【図１０】同じく実施形態３の粘着ラベルシートにおいて、右から二番目に形成されたタックラベルの列の右側方に、タックラベル剥離用領域が形成された状態を示す平面図
【符号の説明】
【００５２】
１０…粘着層
１１…情報表示シート
１２…剥離シート
１４…粘着ラベルシート
１５…タックラベル切り離し用切れ目（ループ状の切れ目）
１６…タックラベル
１７…補助切れ目
１８…タックラベル剥がし用領域
【図１】
2005283633.tif 000003
【図２】
2005283633.tif 000004
【図３】
2005283633.tif 000005
【図４】
2005283633.tif 000006
【図５】
2005283633.tif 000007
【図６】
2005283633.tif 000008
【図７】
2005283633.tif 000009
【図８】
2005283633.tif 000010
【図９】
2005283633.tif 000011
【図１０】
2005283633.tif 000012